(57)【特許請求の範囲】
【請求項１】
微弱電流を発生させる治療器本体と、該治療器本体からの微弱電流を患者の患部に伝達させる微弱電流伝達手段とを備えた微弱電流による治療・施術システムであって、
前記治療器本体は、
微弱電流の周波数を可変する周波数可変部と、
微弱電流の通電時間を設定する通電時間設定部と、
微弱電流の電流値を可変する電流値可変部と、
治療・施術前の患者の患部領域の位置情報、患部領域の範囲情報及び患部状態の情報を含む治療・施術前患部情報、前記患者へのその後の治療・施術の際に設定される微弱電流の周波数、通電時間及び電流値を含む治療・施術パラメータ情報、並びに前記治療・施術後の患者の患部領域の位置情報、患部領域の範囲情報及び患部状態の情報を含む治療・施術結果患部情報を入力する入力部と、
前記治療・施術前患部情報、前記治療・施術パラメータ情報及び前記治療・施術結果患部情報を治療・施術患者毎に時系列的に紐付けて、治療・施術履歴情報として記憶部に登録する治療・施術履歴情報登録部と、
過去の他の患者全ての前記治療・施術履歴情報から、治療・施術対象の患者の現在の患部領域の位置、患部領域の範囲及び患部状態と同じ又は同程度の前記治療・施術前患部情報を有するものの内で、その後の治療・施術により所定の良い治療・施術効果が認められたその治療・施術の治療・施術パラメータ情報を抽出して出力する治療・施術パラメータ決定処理部と、
前記治療・施術パラメータ決定処理部から出力された治療・施術パラメータ情報を表示する表示部と、
を有することを特徴とする微弱電流による治療・施術システム。
【請求項２】
前記治療・施術が、ニキビの治療・施術である、
ことを特徴とする請求項１に記載の微弱電流による治療・施術システム。
【請求項３】
前記患部領域の範囲情報および前記患部状態の情報は、撮像装置で撮像された患部の画像に基づいて演算された数値に基づいてレベル分けされた情報である、
ことを特徴とする請求項１〜２のいずれか一項に記載の微弱電流による治療・施術システム。
【請求項４】
前記微弱電流の周波数として０．３Ｈｚ、１．０Ｈｚ、２．０Ｈｚ、２．５Ｈｚ、５．０Ｈｚ、８．０Ｈｚ、１０Ｈｚ、２０Ｈｚ、４０Ｈｚ、８０Ｈｚ、１６０Ｈｚ、３２０Ｈｚの内の少なくとも６つの周波数が選択され、選択された周波数の内最も低い周波数から順に、電流値が１５〜５０μアンペアの範囲内の微弱電流を６０秒間〜１５０秒間の範囲内の時間だけ通電するように前記周波数可変部、前記通電時間設定部及び前記電流値可変部を制御する制御部を、
有することを特徴とする請求項1〜３のいずれか一項に記載の治療・施術システム。
【請求項５】
前記微弱電流伝達手段は、
微弱電流を生成する微弱電流発生部と、微弱電流発生部から出力された微弱電流を受信して生体に電気刺激を与える導子と前記導子に電気的に接続されたアルミ箔とを備え、
前記アルミ箔が前記患者の顔面の治療・施術部位に当接した状態で覆われている、
ことを特徴とする請求項1〜４のいずれか一項に記載の治療・施術システム。
【請求項６】
前記アルミ箔には、少なくとも患者の右額近傍領域、左額近傍領域、右頬近傍領域、左頬近傍領域、顎近傍領域の患部領域に分けて境界線が描画されており、前記導子は治療・施術の際に患部領域の内の少なくとも一つに接続され、
患者の右額近傍領域を第１の位置情報、左額近傍領域を第２の位置情報、右頬近傍領域を第３の位置情報、左頬近傍領域を第４の位置情報、顎近傍領域を第５の位置情報とし、治療・施術開始前に前記導子が接続された位置情報が前記入力部を介して前記記憶部に記憶される、
ことを特徴とする請求項５に記載の治療・施術システム。
【発明の詳細な説明】
【技術分野】
【０００１】
本発明は、微弱電流による人体の機能改善を施すための治療・施術システムに関する。
【背景技術】
【０００２】
近年、人間の皮膚に微弱な電流を流し、治療・施術をすることが広く行われている。人体の患部に適切な微弱電流を与えることにより、人間の自然治癒力が高まると言われている。外部から人工的に微弱電流を流すことにより、傷の修復に必要なＡＴＰ（アデノシン三燐酸）酵素の生成や、たんぱく質の合成を促進するからである。また、外傷の治療を目的としたものではないが、人間の皮膚に微弱電流を流すことにより、人体内に本来的に流れているバイオ電流の乱れを整え、人間の細胞組織のイオン配列を整え、これによって病気の予防や治癒・施術に役立てることも広く行われている。このような 微弱電流治療器として、種々の微弱電流発生装置が開発され製品化されている。例えば、特許文献１には、皮膚などに微弱電流を流す微弱電流器具であって、治療・美容効果が得られやすく、使い勝手のよい微弱電流器具が開示されている。
【０００３】
そして、これらの微弱電流発生装置を用いて患者に対し継続的かつ効果的な治療・施術を行おうとする場合、患部の位置、患部の範囲、患部の状態、場合によっては男女の違い、年齢等も考慮して治療・施術方法を決定することが多い。
また、この治療・施術方法の決定に際しては、過去の似たような患者に対しどのような治療・施術をし、その効果等がどうであったかを考慮して決定するのが通常である。
従って、治療・施術のときは、まずは出来るだけ過去の治療・施術事例記録等を見て参考にし、初めに微弱電流発生装置の周波数、通電時間（印加時間）及び電流値をどのようにするか、またその後これらをどのように変えてまたは変えないで何回するかを決定し行っていくことが多い。
【先行技術文献】
【特許文献】
【０００４】
【特許文献１】特許第６５５４５９８号
【発明の概要】
【発明が解決しようとする課題】
【０００５】
しかし、患部の位置、患部の範囲、患部の状態、場合によっては男女の違い、年齢をも考慮して、過去の似たような患者の治療・施術（以下「治療等」と呼ぶ。）実績をカルテ等から探しだし、または似たような過去の事例についてその後どのような治療等をしたかを思い出すことは、大変であるし難しい一方、適切な治療等にこれは欠かせない。
【０００６】
そこで本発明は、過去の似たような患者の治療等の実績をカルテ等から効率的かつ容易に探しだし、かつ、その後適切な治療等を行える体全体の機能改善を施すための微弱電流による治療等システムを提供することを課題とする。
【課題を解決するための手段】
【０００７】
上記課題を解決するために、本発明の微弱電流による治療等システムの第一の側面は、微弱電流を発生させる治療器本体と、該治療器本体からの微弱電流を患者の患部に伝達させる微弱電流伝達手段とを備えた微弱電流による治療・施術システムであって、治療器本体は、微弱電流の周波数を可変する周波数可変部と、微弱電流の通電時間を設定する通電時間設定部と、微弱電流の電流値を可変する電流値可変部と、治療・施術前の患者の患部領域の位置情報、患部領域の範囲情報及び患部状態の情報を含む治療・施術前患部情報、患者へのその後の治療・施術の際に設定される微弱電流の周波数、通電時間及び電流値を含む治療・施術パラメータ情報、並びに治療・施術後の患者の患部領域の位置情報、患部領域の範囲情報及び患部状態の情報を含む治療・施術結果患部情報を入力する入力部と、治療・施術前患部情報、治療・施術パラメータ情報及び治療・施術結果患部情報を治療・施術患者毎に時系列的に紐付けて、治療・施術履歴情報として記憶部に登録する治療・施術履歴情報登録部と、過去の他の患者全ての治療・施術履歴情報から、治療・施術対象の患者の現在の患部領域の位置、患部領域の範囲及び患部状態と同じ又は同程度の前記治療・施術前患部情報を有するものの内で、その後の治療・施術により所定の良い治療・施術効果が認められたその治療・施術の治療・施術パラメータ情報を抽出して出力する治療・施術パラメータ決定処理部と、治療・施術パラメータ決定処理部から出力された治療・施術パラメータ情報を表示する表示部とを有することを特徴とする。
【０００８】
また、本発明の微弱電流による治療等システムの他の側面は、前記治療・施術が、ニキビの治療等であることを特徴とする。
【０００９】
また、本発明の微弱電流による治療等システムの他の側面は、患部領域の範囲情報および患部状態の情報は、撮像装置で撮像された患部の画像に基づいて演算された数値に基づいてレベル分けされた情報であることを特徴とする。
【００１０】
また、本発明の微弱電流による治療等システムの他の側面は、微弱電流の周波数として０．３Ｈｚ、１．０Ｈｚ、２．０Ｈｚ、２．５Ｈｚ、５．０Ｈｚ、８．０Ｈｚ、１０Ｈｚ、２０Ｈｚ、４０Ｈｚ、８０Ｈｚ、１６０Ｈｚ、３２０Ｈｚの内の少なくとも６つの周波数が選択され、選択された周波数の内最も低い周波数から順に、電流値が１５〜５０μアンペアの範囲内の微弱電流を６０秒間〜１５０秒間の範囲内の時間だけ通電するように周波数可変部、通電時間設定部及び電流値可変部を制御する制御部を有することを特徴とする。
【００１１】
また、本発明の微弱電流による治療等システムの他の側面は、微弱電流伝達手段は、微弱電流を生成する微弱電流発生部と、微弱電流発生部から出力された微弱電流を受信して生体に電気刺激を与える導子と導子に電気的に接続されたアルミ箔とを備え、アルミ箔が患者の顔面の治療等部位に当接した状態で覆われていることを特徴とする。
【００１２】
また、本発明の微弱電流による治療等システムの他の側面は、アルミ箔には、少なくとも患者の右額近傍領域、左額近傍領域、右頬近傍領域、左頬近傍領域、顎近傍領域の患部領域に分けて境界線が描画されており、導子は治療等の際に患部領域の内の少なくとも一つに接続され、患者の右額近傍領域を第１の位置情報、左額近傍領域を第２の位置情報、右頬近傍領域を第３の位置情報、左頬近傍領域を第４の位置情報、顎近傍領域を第５の位置情報とし、治療等開始前に導子が接続された位置情報が入力部を介して記憶部に記憶されることを特徴とする。
【発明の効果】
【００１３】
本発明によれば、過去の似たような患者の治療等の実績をカルテ等から効率的かつ容易に探しだし、かつ、その後適切な治療等を行うことができる。
【図面の簡単な説明】
【００１４】
【図１】ニキビ治療等システムの全体構成を示したブロック図である。
【図２】治療等モード設定部の構成を示したブロック図である。
【図３】情報取得部の構成を示したブロック図である。
【図４】顔面へのアルミ箔の取付の一例を示した図である。
【図５】顔面へのアルミ箔の取付の他の例を示した図である。
【図６】顔面へのアルミ箔の取付の変形例を示した図である。
【発明を実施するための形態】
【００１５】
本発明は、微弱電流による人体の機能改善を施すための治療・施術システムである。
そして、本発明は、過去の他人の治療等履歴データから過去の似たような患者の治療等の実績を効率的かつ容易に検索し、さらにその後適切な治療等を行うことができる患者用治療等のパラメータを検索・決定するシステムである。
このシステムによる治療等の対象としては、ニキビの治療等、骨折（特に腓骨下端部骨折）、ぎっくり腰、筋肉疲労、しみ・たるみの改善等がある。
微弱電流による人体の機能改善を施すための治療・施術システム（以下「本システム」という。）に係る実施の形態の説明については、以下上記の内でニキビの治療等を例にして、図面を参照しながら説明する。
【００１６】
本実施の形態に係る本システム１の構成について説明する。図１は、本発明における本システム１の構成を示すブロック図である。まず、図１に示す本システム１は、治療等モード設定部２、微弱電流発生部３、操作入力部４、入力制御部５、データ入力部６、データ出力部７、出力制御部８、表示制御部９、表示部１０および治療等履歴情報データベース１２を有する治療等器本体と、導子１４ａ，１４ｂおよびアルミ箔５１（図４参照）を有する微弱電流伝達手段とを含んで構成されている。
【００１７】
［操作入力部］
操作入力部４は、例えば、キーボード、タッチパッド、タッチパネル、マウスなどの入力デバイスにより構成されている。操作入力部４は、ユーザーからのデータの入力や、システム１の各部への操作指令や、各処理に必要な操作などのデータ・操作入力を受け、入力制御部５に供給する。操作入力部４に入力されるデータには、例えば、患者の患部領域の位置情報、患部領域の範囲情報、患部状態（例えばニキビの状態の程度等）の情報（以下、「患部情報」と呼ぶ）、患者への治療等の際に設定された微弱電流の周波数情報、通電時間情報および電流値の情報を構成要素とする治療等パラメータ情報、導子１４ａ、１４ｂの治療等対象への取付位置情報、及び、前記患者に治療等を施した後の治療等結果患部情報（この治療等結果患部情報は、治療等の対象によって、例えば、治療等の後、治療等後所定の期間をおいた経過観察時又は次回の通院時の治療等前の患部状態等である。）などがある。なお、患部情報については、ユーザ（施術者）が患部状態を診察して入力された情報（後述するレベルＡ〜Ｅ）と、後述する判定処理部２３により取得された患部の画像に基づいて判定された判定結果の情報（後述するレベルＡ〜Ｅ）のいずれを用いてもよい。なお、この判定結果情報については、操作入力部４を介して訂正することもできる。また、患部領域の範囲情報については、撮像装置（図示せず）、携帯機器等で撮像されデータ入力部６を介して取得された患部の画像に基づいて演算部（図示せず）によって演算された患部領域の範囲（面積）の情報をいうが詳細は後述する。
【００１８】
（患部領域の位置情報）
患部領域の位置情報とは、図４の例でいうと顔面を例えばあらかじめ決められた５か所の領域（図４の例では領域（１）〜（５））に分けた場合において領域（１）〜（５）をいい、図４の例では領域（１）〜（５）が位置情報として規定される。なお、図４の例では、領域（１）は額右側領域で、領域（２）は額左側領域で、領域（３）は頬右側領域で、領域（４）は頬左側領域で、領域（５）は顎近傍領域である。
【００１９】
（患部情報）
次に患部にニキビが認められる場合、そのニキビの状態は、正常→悪化のプロセスで判定すると一般に以下の５段階（レベルＡ〜レベルＥ）に分けられる。
（１）レベルＡ（正常状態）
ステロイド剤を使用しなくて正常な皮膚の状態を保つことができ、ステロイド剤を使用したとしても繰り返し使い続けることなく症状が落ち着き、ステロイド剤に頼ることなく皮膚の良い状態を維持でき、見た目でニキビだとわかることはなく、かゆみ、痛みもほとんど認められない状態をいう。
（２）レベルＢ（炎症の程度が弱）
角質や皮脂が毛穴（毛孔）に溜まり「白い小さな点」が確認できる状態をいう。この状態のまま放置すると次のレベルＣに移行する。
（３）レベルＣ（炎症の程度が中）
肌の汚れや埃（ほこり）、古い角質などで毛穴が塞がれ皮脂が詰まり、毛穴の表面が開いてしまい、詰まった皮脂（コメド）が毛穴の外に盛り上がって空気に触れることで、患部が酸化して黒くなった状態をいう。
（４）レベルＤ（炎症の程度が中〜強）
アクネ菌や皮膚ブドウ球菌が毛穴内部で増殖を繰り返し、炎症がおきて赤く腫れた状態で、触ると少し痛みが認められる状態をいう。
（５）レベルＥ（炎症の程度が強）
赤く腫れた患部において炎症が悪化して膿ができ、化膿が進んだ状態をいい、アクネ菌がリパーゼという酵素を出し、毛穴や内部組織を破壊し始める状態をいう。
なお、上記したレベルＡ〜Ｅの具体的な判定方法については後述する。
【００２０】
（患部領域の範囲情報）
患部領域の範囲情報は、例えば撮像装置（図示せず）等で患部の画像を撮像してその患部画像を、データ入力部６を介して情報取得部２１の患者情報取得部３１に入力される。判定処理部２３内の演算部で情報取得部２１に入力された患部画像に対して２値化処理を行う。この２値化処理では、グレー画像を所定のしきい値を基準として０（黒）と１（白）に変換し、対象物である患部と患部以外の背景を分離する処理が行われる。そして判定処理部２３によって、２値化処理後の患部画像に対していわゆるブロブ解析を行い患部領域の範囲（面積）が決定される。ブロブ解析で患部領域の面積が算出され、その面積の数値とともに当該面積値に対応するレベル（レベル判定後のレベル）が治療等履歴情報データベース１２に格納される。なお、患部領域の範囲のレベル判定処理については後述する。なお、患部領域の範囲のレベルは、見た目の大きさ（面積等）によって幾つかに分けて判定してもよい。
【００２１】
［データ入力部］
データ入力部６は、例えば、通信部やリムーバブル記録媒体の読み取り装置などで構成され、データの入力を受け、それを入力制御部５に供給する。データ入力部６に入力されるデータには、例えば、患者の患部領域の位置情報、患部領域の範囲情報（撮像装置からの患部画像を含む）、患部状態の情報、患者への治療等の際に設定された微弱電流の周波数情報、通電時間情報、電流値の情報、導子１４ａ、１４ｂの治療等対象への取付位置情報、及び、前記患者に治療等を施した後の治療等結果患部情報などがある。
【００２２】
［入力制御部］
入力制御部５は、操作入力部４から入力された情報、または、データ入力部６から入力された各種データの供給を受け、ニキビ治療等システム１の各部に供給する。
【００２３】
［出力制御部］
出力制御部８は、操作入力部４から入力されたユーザーの操作入力に基づいて、治療等履歴情報データベース１２に登録されている患者の治療等ごとの治療等前の患部領域の位置情報、患部領域の範囲情報、患部状態の情報、患者への治療等の際に設定された微弱電流の周波数情報、通電時間情報、電流値の情報、導子１４ａ、１４ｂの治療等対象への取付位置情報、及び、治療等ごとの治療等結果患部情報の表示またはデータ出力を制御する。出力制御部８は、表示される情報を表示制御部９へ、データ出力される情報をデータ出力部７へ供給する。
【００２４】
［表示制御部］
表示制御部９は、出力制御部８から供給された情報の画像を生成して、その生成された画像を表示部１０へ表示させる制御を行う。表示部１０は、例えば、液晶ディスプレイ、タッチパネルなどの表示デバイスにより構成され、表示制御部９の制御に基づいて、所定の情報を表示する。
【００２５】
［データ出力部］
データ出力部７は、通信部やリムーバブル記録媒体の読み取り装置などで構成され、出力制御部８から供給された情報を出力したり、記録させたりする。
【００２６】
［治療等モード設定部］
治療等モード設定部２は、情報取得部２１、演算処理部２２、判定処理部２３、治療等履歴情報登録部２５、治療等パラメータ決定処理部２６および駆動制御部２７を有している。情報取得部２１は、患部情報取得部３１、周波数情報取得部３２、電流値情報取得部３３、治療等時間情報取得部３４、導子取付位置情報取得部３５および治療等結果患部情報取得部３６を有している。
【００２７】
（演算処理部）
演算処理部２２は、周波数可変部４１、通電時間設定部４２および電流値可変部４３を有して構成されている。周波数可変部４１は微弱電流の周波数を可変する機能を有する。通電時間設定部４２は微弱電流の通電時間を設定する機能を有する。電流値可変部４３は微弱電流の強度（以下、「電流値」と呼ぶ。）を可変する機能を有する。なお、周波数、通電時間および電流値は、それぞれ周波数可変部４１、通電時間設定部４２および電流値可変部４３にて設定されるが、後述する操作入力部４で入力された周波数、通電時間および電流値に対応しても周波数可変部４１、通電時間設定部４２および電流値可変部４３での設定がされる。
【００２８】
患部情報取得部３１は、操作入力部４又は判定処理部２３により入力された患者の現在の患部領域の位置情報、患部領域の範囲情報及び患部状態の情報を取得する。周波数情報取得部３２、電流値情報取得部３３、治療等時間情報取得部３４および導子取付位置情報取得部３５は、それぞれ患者への治療等の際に操作入力部４により入力された微弱電流の周波数、電流値、治療等時間（通電時間）および導子１４ａ及び／又は導子１４ｂのアルミ箔５１への取付位置（後述する。）の情報を治療等パラメータ情報として取得する。治療等結果患部情報取得部３６は、操作入力部４又は判定処理部２３により入力された治療等後における患者の患部の経過状態を含めた治療等結果の情報を取得する。患部領域の位置情報、患部領域の範囲情報及び患部状態の情報、周波数情報、電流値情報、治療等時間情報、導子取付位置情報および治療等結果患部情報は治療等履歴情報データベース１２に記憶される。
【００２９】
ここで、本実施の形態では、微弱電流発生部から出力された微弱電流を受信して生体に電気刺激を与える導子は、導子１４ａと導子１４ｂで構成されているが、電流供給に用いられるのは導子１４ａのみであり、導子１４ｂは上記した微弱電流の周波数の下限値の指標となる生体情報の抽出にのみ用いられ電流供給には用いないため、以降の説明では導子１４ｂの詳細な説明は省略する。導子１４ａは、顔部に覆われたアルミ箔５１の後述する患部領域内に取り付けられ、導子１４ｂはアルミ箔５１の上記患部領域以外の領域内に取り付けられる。なお、導子についてはこれに限定されることなく、一対の導子が共に電流供給に用いられ、一方を微弱電流発生器の正極に他方を負極に接続して用いられるものであってもよい。また導子を複数用いてそれぞれ異なる患部の領域内に取り付けるということもできる。
【００３０】
アルミ箔５１は少なくとも患者の顔面の患部領域を覆うように治療等部位（患部領域）に当接した状態で取り付けられている。図４の例は患部領域が額右側領域（領域（１））である場合の例であり、具体的には患部領域である領域（１）とそれ以外の領域（２）〜（５）で構成されている例である。領域（１）を第１の領域とした場合に、その第１の領域内に導子１４ａを取り付け、導子１４ｂはアルミ箔５１の第１の領域（図４の領域（１））以外の第２〜第５の領域（図４の領域（２）〜（５））のいずれかの領域内に取り付ける。そして領域（１）が患部領域の情報として操作入力部４を介して患者履歴情報データベース１２に登録され、導子１４ａの取付位置の情報として領域（１）の情報が操作入力部４を介して患者履歴情報データベース１２に登録される。導子１４ｂについては電流供給されないのでここでは説明を省略する。
【００３１】
なお、図４の例は患部領域を５箇所の領域に分けて境界線が描画されたアルミ箔５１を用いた例であるが、アルミ箔に描画される領域の数はこれに限定されることはなく、６以上の箇所に分けて境界線が描画されたアルミ箔を用いてもよい。例えば、患部が２箇所にあるような場合には、例えば図５に示すように顔面を覆う大きさのアルミ箔５２にあらかじめ１４箇所（第1の領域〜第１４の領域）に分けた境界線が描画されたアルミ箔５２を用い、上記した２箇所の患部領域が第１の領域（領域（１））と第１１の領域（領域（１１））にあるとした場合に、その第１の領域内に導子１４ａを取り付け、後述する適切な治療等パラメータに基づいて治療等を開始し、治療等終了後に今度は導子１４ａをアルミ箔５１の第１１の領域内に取り付け、後述する適切な治療等パラメータを入力して治療等を開始する。なお、患部領域に対応する領域（１）は患部領域の情報として操作入力部４を介して患者履歴情報データベース１２に登録され、導子１４ａの取付位置である領域（１）の情報が操作入力部４を介して患者履歴情報データベース１２に登録される。
【００３２】
また、図５の例では、第１の領域の治療等開始→治療等終了→第１１の領域の治療等開始→治療等終了という処理の流れであったが、ともに電流供給機能を有する２つの導子（図示せず）を用いて一方の導子をアルミ箔５１の第１の領域内に取り付けるとともに他方の導子をアルミ箔５１の第１１の領域内に取り付けた後に、第１の領域の治療等と第１１の領域に対してそれぞれ適切な治療等パラメータを選びだし、それに基づく治療等を同時に開始することもできる。なお、２箇所に対して上記したパラメータを適用する場合それぞれに同じパラメータを適用してもよいし、異なるパラメータを適用してもよい。ただし、異なるパラメータを適用する場合には後述するそれぞれの判定処理に基づいて適切なパラメータを適用する。
【００３３】
＜アルミ箔の顔面への取付の変形例＞
なお、アルミ箔の顔面への取付の変形例として、図６に示すように所定の大きさ（領域）のアルミ箔を複数（図６の例ではアルミ箔６４ａ〜６４ｅの５枚）用意し、例えば図６に示すように顔面全領域を５つの領域（１）〜（５）に分けた場合、領域（１）〜（５）のそれぞれにアルミ箔６４ａ〜６４ｅを取りつけている。これにより患部領域（大きさ）とアルミ箔の大きさ（領域）が概ね同じ範囲となり微弱電流の治療等対象患部への供給を正確に行うことができる。
【００３４】
治療等履歴情報登録部２５は、操作入力部４を介して患部情報取得部３１、周波数情報取得部３２、電流値情報取得部３３、治療等時間情報取得部３４、導子取付位置情報取得部３５及び治療等結果患部情報取得部３６によりそれぞれ取得された、患者の現在の患部領域の位置の情報、患部領域の範囲情報および患部状態の情報を含む患部情報と、その患者への治療等の際に設定された微弱電流の周波数、微弱電流の電流値（強度）、微弱電流の通電時間を含む治療等パラメータ情報と、導子１４ａ、１４ｂのアルミ箔５１への取付位置の情報と、治療等後における患者の患部の経過状態を含めた治療等結果の情報（以下、「治療等結果患部情報」と呼ぶ。）とを患者毎に関連付けて治療等履歴情報を生成し、生成された治療等履歴情報を治療等履歴情報データベース１２に登録（記憶）させる処理を実行する。さらに治療等履歴情報登録部２５は、データ入力部６により入力された写真等の画像データ等の情報も取得して治療等履歴情報データベース１２に記憶させる処理を実行する。
【００３５】
［判定処理部］
判定処理部２３は、患部領域における１画素当たりの濃淡値（平均濃淡値）に基づく等による上記した患部状態の程度のレベル判定処理及び患部領域の面積に基づく等による患部領域の範囲のレベル判定処理を治療等の前又は後で行う。また、判定処理部２３は、これから治療等する予定の患者の現在の患部領域の位置情報、現在の患部領域の範囲情報および現在の患部状態の情報と、治療等履歴情報データベース１２に登録されている過去の全ての既登録患者の治療等履歴情報とを比較して、これから治療等をする予定の患者の現在の患部領域の位置情報、現在の患部領域の範囲情報および現在の患部状態の情報に最も近似する既登録患者を特定する近似度判定処理を行う。
【００３６】
（患部状態の程度のレベル判定処理）
患部状態の程度のレベル判定は、以下の工程で行われる。最初に、例えば領域（１）内の患部の画像を撮像装置（図示せず）等で撮像された患部画像（例えばグレー画像）が、データ入力部６を介して情報取得部２１の患者情報取得部３１に入力される。撮像する範囲は例えば上記した領域（１）〜（５）の内の領域（１）に患部がある場合にはその患部がある領域（１）全体が映り込むように撮影される。情報取得部２１に入力された患部画像を含む領域画像は、所定の画素数を有し、１画素（ピクセル）においてレベル０〜２５５（数字が高いほど濃度が濃い（高い））、計２５６階調の濃淡値を有している。判定処理部２３を構成する演算部（図示せず）が患部画像を含む撮像画像を構成する画素数を求めるとともに、構成される各画素のそれぞれの濃淡値を合算した合計値を求め、この合計値を全画素数で除して１画素当たりの濃淡値（平均濃淡値）を求める。
【００３７】
その平均濃淡値が例えば０、１〜６４、６５〜１２９、１３０〜１９５、１９６〜２５５の５段階の中のいずれに該当するのかが判定処理部２３で判定され、濃淡値０の場合には炎症がなく正常状態（上記したレベルＡに相当）と規定し、濃淡値１〜６４の場合には炎症の程度が弱（上記したレベルＢに相当）と規定し、濃淡値６５〜１２９の場合には炎症の程度が中（上記したレベルＣに相当）と規定し、濃淡値１３０〜１９５の場合には炎症の程度が中〜強（上記したレベルＤに相当）と規定し、濃淡値１９６〜２５５の場合には炎症の程度が強（上記したレベルＥに相当）と規定する。判定処理部２３内の判定部（図示せず）は情報取得部２１に入力された患部画像の上記した濃淡値に基づいて炎症の程度（レベルＡ〜Ｅのいずれか）を判定する。上記した炎症の程度の判定方法は一例であり、例えばグレースケール画像ではなく、カラー画像を用いて例えば赤色に近い画像部分には重み付けを高くして濃淡値を算出して判定するようなこともできる。判定されたそのレベルは治療等履歴情報データベース１２に格納される。なお、患部状態の情報、患部領域の位置情報は上記のように規定しているが、これはあくまで一例であってさらに細分化（レベル分類数を増加させ）たり、逆に集約（レベル分類数を減少加させ）たりしてもよい。また、患部の見た目による患部状態の判定でもよい。
【００３８】
［患部領域の範囲のレベル判定処理］
判定処理部２３は、演算部で算出された患部領域の範囲情報（面積の数値）に基づいてその数値がどのレベルであるのか判定する。以下ではレベルを、レベル１〜レベル２０に分けた例について述べる。具体的には、演算部が、入力された領域（１）〜（５）の患部画像に基づいて患部領域の面積及び／又は周囲長を上記した方法で算出し、判定処理部２３内の判定部が、算出された面積及び／又は周囲長が後述する２０レベルの中のどのレベルに該当するのかを特定し、その特定されたレベルを判定決定）する。ここで、２０レベルとは、各領域（図４の例では領域（１）〜５））ごとに患部領域の面積がその患部領域を含む領域の総面積に対してどのくらいの割合にあるのかに応じて判定する。患部領域の面積については、ニキビと想定される部分の総面積をいい、複数個所に渡ってニキビがある場合にはその合計の面積をいう。なお、上記実施例では演算部によって患部領域の面積及び／又は周囲長が計算されるが、この計算は例えばスマートフォン等の携帯機器に面積及び／又は周囲長の計算アプリケーション（例えば顔面積算出アプリ）をあらかじめインストールされている場合に、そのアプリを用いて携帯機器で撮像された顔画像内の所望の患部領域を対象として計算された面積値及び／又は周囲長の値を、データ入力部６を介して入力するようにしてもよい。また、患部領域の範囲のレベルは、見た目の大きさ（面積等）によって幾つかに分けて判定してもよい。
【００３９】
次に２０レベルの各レベルの判定方法（決定方法）について説明する。患部領域の面積がその患部領域を含む領域の総面積に対して０〜５％の範囲であればレベル１、６〜１０％の範囲であればレベル２、１１〜１５％の範囲であればレベル３、１６〜２０％の範囲であればレベル４、２１〜２５％の範囲であればレベル５、２６〜３０％の範囲であればレベル６、３１〜３５％の範囲であればレベル７、３６〜４０％の範囲であればレベル８、４１〜４５％の範囲であればレベル９、４６〜５０％の範囲であればレベル１０、５１〜５５％の範囲であればレベル１１、５６〜６０％の範囲であればレベル１２、６１〜６５％の範囲であればレベル１３、６６〜７０％の範囲であればレベル１４、７１〜７５％の範囲であればレベル１５、７６〜８０％の範囲であればレベル１６、８１〜８５％の範囲であればレベル１７、８６〜９０％の範囲であればレベル１８、９１〜９５％の範囲であればレベル１９、９６〜１００％の範囲であればレベル２０と判定（決定）される。上記判定方法は、一例であってこれに限定されることはない。
【００４０】
上記した患部状態の程度のレベル判定の計算や患部領域の範囲の計算は、判定処理部２３内の演算部以外に、例えば治療等モード設定部２の中の治療等パラメータ決定処理部２６で行ってもよいし、外部の演算装置（図示せず）に行わせてもよい。また、上記した患部領域の範囲の数値を表示部１０に表示させるにあたって、上記した面積値で表示してもよいし、あらかじめ決められた数種類の面積数値範囲（範囲レベル）を規定しておき、面積計算された面積値に対応する上記範囲レベルを表示させてもよい。
また、患部領域の範囲のレベルは、見た目の大きさ（面積等）によって幾つかに分けて判定してもよい。
【００４１】
［近似度判定処理］
以下に、近似度判定処理について具体的に説明する。なお、以下の説明では、これから治療等を行おうとしている患者を患者Ａとする。患者Ａの２度目の治療等において、まず患者Ａの現在の患部領域の位置情報がユーザーによって操作入力部４を介して入力され、また、患部領域の範囲情報および患部状態の情報がデータ入力部４を介して入力される。なお、入力された患者Ａの現在の患部領域の位置、患部領域の範囲情報および患部状態の情報は患者情報取得部３１に記憶される。判定処理部２３内の判定部は、患者情報取得部３１に記憶された患者Ａの現在患部領域の位置、患部領域の範囲情報および患部状態の情報と、治療等履歴情報データベース１２に格納されている全患者の過去の患部領域の位置、患部領域の範囲情報および患部状態の情報を比較分析する。
【００４２】
判定処理部２３は、患者Ａの現在患部領域の位置、患部領域の範囲情報および患部状態の情報と、治療等履歴情報データベース１２に格納されている全患者の過去の患部領域の位置、患部領域の範囲情報および患部状態を比較し、患者Ａの現在の患部領域の位置、患部領域の範囲情報および患部状態の情報と同じ情報（位置情報である領域が同じで、患部領域の範囲が同じで、患部状態の情報が同じである）を有する既登録患者の有無を判定し、患者Ａの上記情報と同じ情報を有する既登録患者が少なくとも一人いた場合にその既登録患者を特定し、患者Ａと特定された既登録患者の患部領域の位置、患部領域の範囲および患部状態が近似していると判定する。なお、上記した近似度判定処理において現在の患者の患部領域の位置、患部領域の範囲情報および患部状態の情報が過去のすべての既登録患者の患部領域の位置、患部領域の範囲情報および患部状態の情報とが近似していないと判定された場合には近似判定処理はそこで終了する。この場合、患者Ａの現在の患部領域の範囲情報、患部状態の情報とは異なるが、これらを少し変えて近似度判定処理をしてみて、特定された患者の治療等経緯及び治療等の結果を今後の治療等の参考にするという使用の仕方をしてもよい。
【００４３】
［治療等パラメータ決定処理部］
上記近似度判定処理の結果、近似する既登録患者が特定されると、次にその特定された既登録患者のその後の経過状況等に基づいて治療等の際に適用すべき治療等パラメータを決定する処理に移行する。例えば、パラメータ決定処理部２６は、治療等予定の患者の現在の患部情報がデータ入力部６を介して入力されると、判定処理部２３内の判定部からの近似度判定の結果に基づいて特定された既登録患者の患部領域の位置情報、患部領域の範囲情報および患部状態の情報を抽出する。特定された既登録患者が複数いた場合、パラメータ決定処理部２６は、抽出された複数の既登録患者の患部領域の位置情報、患部領域の範囲情報および患部状態の情報に基づいて、患部に当該治療等を行った後から次回の治療等前までの期間において最も治療等効果のあった既登録患者を特定し、その特定された既登録患者の患部領域の位置情報、患部領域の範囲情報および患部状態の情報に関連付けられている治療等パラメータを治療等履歴データベース１２から抽出する。
【００４４】
ここで、最も治療等効果のあった既登録患者を特定する例として、例えば抽出された患部状態のレベルが前回のレベルより良いほうに変わった（例えばレベルＥ（前回のレベル：炎症の程度が強い）からレベルＤ（治療等後のレベル：炎症の程度が中〜強）へ変わった）患者が一人しかいない場合であればその既登録患者を特定する。抽出された患部状態のレベルが前回のレベルより良いほうに変わった既登録患者が複数いた場合には、その中で最も大きい治療等効果に遷移した既登録患者を特定する。例えばレベルＥ→レベルＤに遷移した既登録患者ＡとレベルＥ→レベルＣに遷移した既登録患者Ｂがいた場合、既登録患者Ｂを特定する。そして特定された既登録患者Ｂの患部領域の位置情報、患部領域の範囲情報および患部状態の情報に関連付けられているこの治療等に使用された治療等パラメータ情報を治療等履歴データベース１２から抽出する。なお、特定された治療等パラメータは治療等履歴情報データベース１２に対して行われる照合処理によって抽出（取得）される。
【００４５】
（変形例）
上記した治療等パラメータ決定処理においては、既登録患者の患部領域の位置情報、患部領域の範囲情報および患部状態の情報に関連付けられている治療等パラメータ情報を治療等履歴データベース１２から抽出するプロセスがあるが、このプロセスは上記に限定されるものではなく、既登録患者の患部領域の位置情報、患部領域の範囲情報および患部状態の情報の他に、患者の性別、年齢等の情報も加えてそれらに関連付けられている治療等パラメータ情報を治療等履歴データベース１２から抽出するようにしてもよい。これによれば、より妥当な治療等パラメータ情報が抽出される可能性が高くなる。
【００４６】
（好適な治療等パラメータを表示させる処理）
上記抽出後、治療等パラメータ決定処理部２６は、特定された既登録患者の患者情報と、上記抽出された治療等パラメータ情報とを出力制御部８を介して表示制御部９に供給する。表示制御部９は、特定された既登録患者の治療等前後の患部領域の位置情報、患部領域の範囲情報および患部状態の情報および上記抽出された治療等パラメータ情報の画像を生成し、その画像を治療等の治療等予測データとして表示部１０（例えば液晶ディスプレイ）に表示させる。
【００４７】
このように、治療等を開始する前に現在の患部領域における患部状態に対して適切な治療等パラメータを設定するに際し、現在の患部領域の位置、患部領域の範囲および患部状態と近似した患部領域の位置情報、患部領域の範囲および患部状態を有する既登録患者の有無が判定され、既登録患者有りの判定結果が出された場合にその既登録患者の治療等パラメータ情報を参考にできるので適切かつ効率的な治療等をすることができる。既登録患者の患部領域の位置情報、患部領域の範囲情報および患部状態の情報に関連付けられている治療等パラメータ情報を抽出するにあたり、例えばそれらをマトリクスに表示した表を作成してそれを参照して治療等することも可能であるが、患部領域の位置情報、患部領域の範囲情報および患部状態の情報が多くなれば表の作成に多くの時間がかかる。また、これらの既登録患者の情報のなかから、同じ患部領域の位置、患部領域の範囲および患部状態から最も治療等効果のあった既登録患者を特定するのも大変であり、治療等以外のこれらの作業に多くの時間を要することになる。ちなみに、患部領域の位置情報が１４パターン、患部領域の範囲情報は２０パターン、患部状態の情報は５パターンのものを例にとると、これだけでも１４００パターンの検索になる。治療等の精度を上げるために、これにさらに例えば性別２パターンと年齢（１０代未満、１０代〜２０代未満、２０代〜３０代未満、３０代〜４０代未満、４０代〜５０代未満、５０代〜６０代未満、６０代〜７０代未満、７０代〜８０代未満、８０代以上）の９パターンを追加したとすると、組み合わせパターン数は膨大となり、表の作成及びこれのパターン検索は現実的ではない。一方、本発明によれば患部領域の位置情報、患部領域の範囲情報および患部状態の情報に関連付けられている治療等パラメータ情報の抽出は、データベースを検索し抽出するだけで済むので作業効率が極めて良くなるという効果が得られる。
【００４８】
なお、抽出された既登録患者が一人しかいなかった場合で、その患者へのその直後の治療等では効果がでなかった場合でも、さらにその後の治療等で効果が出ていれば、この既登録患者を抽出の対象とする。
【００４９】
本発明によれば、現在の治療等経過状況に近似した他の複数の既登録患者の過去の経過状況の情報に基づいて、その中から最も適切な既登録患者が特定され、その特定された既登録患者の患部領域の位置情報、患部領域の範囲情報及び患部状態の情報に関連付けられたその後の治療等に用いられた治療等パラメータが治療等履歴情報データベース１２から抽出されて表示部１０に表示されるので、その表示された好適な治療等パラメータを参照することにより効率的な治療等を施すことができる。
本発明によれば、過去の全て既登録患者の治療等経過状況の情報に基づいて最も効果のある治療等パラメータを設定できるので適切かつ効果の高い治療等を施すことができるとともに、また治療等時間の短縮（効率的な治療等）も図ることができる。
【００５０】
［治療等開始前〜治療等開始までの表示部に表示される画面遷移］
まず、患者が来院しユーザ（施術者）が操作入力部４を介して治療等日および患者情報を入力すると、その患者の前回治療等における治療等パラメータおよび患部の経過状態が治療等履歴情報データベース１２から読み出され表示部１０に表示される。さらに患者の現在の患部状態が上記したように入力されるとその患者の現在の患部位置における患部領域の範囲および患部状態にもっとも近似する患部領域の範囲および患部状態を有する既登録患者が特定され、その特定された既登録患者の治療等前と治療等後の患部領域の範囲および患部状態の情報およびそれらに関連付けられたその時の治療等パラメータが抽出され、それらの情報が表示部１０に表示される。そして表示部１０に表示された上記治療等パラメータを参照して治療等が開始される。
【００５１】
[治療等パラメータ情報の取得手順]
以下に、治療等パラメータ情報の取得の手順について説明する。後述する実施例で使用される微弱電流治療等器（アキュスコープ８０Ｌ）を使用し、治療等時には患者の患部領域にアルミ箔を当接させる。このアルミ箔の中の所望の取付領域に導子１４ａ（導子１４ｂの取付領域は上記したように特に限定しない）を接続させ、微弱電流治療等器を動作させる前にあらかじめ微弱電流の周波数、微弱電流の電流値、微弱電流の通電時間、導子１４ａの治療等対象への取付位置の情報（アルミ箔に描画された複数の取付領域のいずれか）を設定する。この設定された微弱電流の周波数、微弱電流の電流値、微弱電流の通電時間、導子１４ａの治療等対象への取付位置の情報の数値が治療等パラメータであるが、この治療等パラメータは患者の情報と治療等日時を紐づけて治療等履歴情報データベース１２に登録される。
【００５２】
アルミ箔５１は患者の顔面の患部領域を含む領域を覆うように治療等部位（患部領域）に当接した状態で取り付けられている。一対の導子１４がアルミ箔に取り付けられる領域は、患者の患部領域を第１の領域とした場合に、一方の導子１４ａは前記第１の領域内に取り付けられ、他方の導子１４ｂは第１の取付領域以外の患部領域である第２の領域等の近傍に取り付けられる。
【００５３】
［好適な治療等パラメータの組み合わせ］
以下に、本発明に係るニキビ治療等システムを用いて治療等を行いその後の患部経過を観察した実施例について詳細に説明する。なお、各実施例の初回治療等開始から選択される周波数グループは、０．３Ｈｚ〜５．０Ｈｚの周波数第１グループ、８．０〜４０Ｈｚの周波数第２グループ、８０Ｈｚ〜３２０Ｈｚの周波数第３グループである。以下の実施例１は、被験者Ａに対して治療等を行い、初回治療等前、中間治療等後、最終治療等後に分けての患部状態の遷移を観察した例である。実施例２は、被験者Ｂに対して治療等を行い、初回治療等前、第１の中間治療等後、第２の中間治療等後、最終治療等後に分けての患部状態の遷移を観察した例である。
【００５４】
本実施例における炎症の程度の評価は、Ａレベル、Ｂレベル、Ｃレベル、Ｄレベル、Ｅレベルの５段階（５種類）とする。各レベルの意味についてはすでに上述しており、上記した意味内容と同様なので説明は省略する。なお、このレベルの種類は一例であってこれに限定されない。
【００５５】
また、本実施例ではニキビ跡（患部領域）の範囲の大きさを患部の面積に基づいてレベル１〜レベル２０の２０段階（２０種類）に分類した。レベルが低いほどニキビ跡の範囲が狭いことを意味するが、これらレベルについてはすでに上述しており、上記した意味内容と同様なので詳細な説明は省略する。なお、このレベルの種類は一例であってこれに限定されない。また、患部の面積は、上述したように撮像装置で患部を撮像した撮像画像に基づいて算出されたものである。
【００５６】
以下の２つの実施例では、皮膚疾患を治療等するために患部に対して微弱電流を供給するにあたり、一定以上の治療等効果が得られた通電時間、周波数、電流値（強度）の各パラメータの好適な組み合わせを示したものである。以下の２つの実施例では、電流値（強度）は１５μＡだけだが、これに限定されない。皮膚異常の程度により１５μＡ〜５０μＡの間で選択される。また、通電時間についても、以下の２つの実施例では、６０秒間と１５０秒間だけだが、これに限定されない。皮膚異常の程度により６０秒間から１５０秒間の間の時間も選択される。
なお、従来のニキビ治療等は、薬物治療等が一般的であり、例えば、皮膚科で角質層を融解させる薬としてディフェリンゲル（一般名：アダパイン）を患部へ塗布して治療等する方法が知られているが、副作用として、赤みが出て痒みが出るケースが多かった。また、ヒルロイド（保湿剤）を処方してそれを患部へ当てて治療等する方法が知られているが、効果については不明である。また、漢方・ビタミン剤を服用する方法も知られているが、効果については不明である。また、赤みが強いニキビにステロイド剤を患部へ塗布して治療等する方法が知られているが、数年後にニキビ跡を残すことがある。上記した薬物治療等に対して、以下に示す通電時間、周波数、電流値（強度）の各パラメータの好適な組み合わせによる微弱電流を供給する治療等によれば後述するように所定の効果が得られることが確認された。なお、以下の実施例は、一定の効果が認められた好適なパラメータの組み合わせを説明するためのものであり、上記した近似値判定処理は行っていない。
【００５７】
＜実施例１_被験者Ａ＞
実施例１は、被検者Ａの患部が左の頬（患部の領域は図４の領域（３）に相当）であり、後述する３つの治療等パラメータにより治療等を行った。
【００５８】
初回治療等時において、これから治療等する予定の被検者Ａの現在の患部領域の位置情報、そのときの患部領域の範囲情報および現在の患部状態の情報が、被検者Ａの第１の患部情報として操作入力部４を介して入力される。本実施例１では、操作入力部４を介して、現在の被検者Ａの患部領域の位置情報として図４に示す領域（３）が入力され、ニキビの範囲の情報をレベル２０、患部状態の情報をレベルＥとして入力された。そして、判定処理部２３において上記した被検者Ａの第１の患部情報と、治療等履歴情報データベース１２に登録されている過去の全ての既登録患者の患部情報を含む治療等履歴情報とが比較され、上記した被検者Ａの第１の患部情報に最も近似する患部情報を有する既登録患者を特定する近似度判定処理が行われる。
【００５９】
近似度判定の結果、上記した被験者Ａの第１の患部情報と同じ患部情報を有する既登録患者（以下、「特定既登録患者Ｘ１」と呼ぶ。）が一人だけ特定された。次に、被験者Ａの第１の患部情報と同じ特定既登録患者Ｘ１の患部情報の後の治療等後における患部情報として、患部領域の位置情報（領域（３））、患部領域の範囲情報（レベル１４）および患部情報（レベルＣ)が抽出された。特定既登録患者Ｘ１のこの治療等に関連付けられている治療等パラメータ（後述する）が、特定既登録患者Ｘ１の治療等前後の患部情報とともに表示部１０に表示される。これによれば特定既登録患者Ｘ１は治療等後に患部領域の範囲がレベル２０からレベル１４に遷移し、患部状態がレベルＥからレベルＣに遷移しており、治療等効果ありとしてこの特定既登録患者Ｘ１の治療等パラメータを選択し治療等が施された。
【００６０】
上記した特定既登録患者Ｘ１の治療等パラメータにしたがって、微弱電流の周波数を０．３Ｈｚ、微弱電流の電流値を１５μＡ（マイクロアンペア）、通電時間を６０秒間に設定し、通電を開始し、続いて微弱電流の周波数を２．５Ｈｚ、微弱電流の電流値を１５μＡ（マイクロアンペア）の微弱電流を１５０秒間導子１４ａに供給し、微弱電流の周波数５．０Ｈｚ、微弱電流の電流値１５μＡ（マイクロアンペア）の微弱電流を１５０秒間導子１４ａに供給し、続いて微弱電流の周波数８．０Ｈｚ、微弱電流の電流値１５μＡ（マイクロアンペア）の微弱電流を１５０秒間導子１４ａに供給し、続いて微弱電流の周波数２０Ｈｚ、微弱電流の電流値１５μＡ（マイクロアンペア）の微弱電流を１５０秒間導子１４ａに供給し、続いて微弱電流の周波数８０Ｈｚ、微弱電流の電流値１５μＡ（マイクロアンペア）の微弱電流を１５０秒間導子１４ａに供給し、続いて微弱電流の周波数１６０Ｈｚ、微弱電流の電流値１５μＡ（マイクロアンペア）の微弱電流を１５０秒間導子１４ａに供給し、続いて微弱電流の周波数３２０Ｈｚ、微弱電流の電流値１５μＡ（マイクロアンペア）の微弱電流を１５０秒間導子１４ａに供給した。その後、計５回上記第１の治療等パラメータと同様の治療等パラメータで上記同一患者の患部に微弱電流を供給する治療等を施した後、所定期間をおいた経過観察において患部の程度はＥレベルからＣレベルに軽減されたことが確認された。そして、左頬のニキビの範囲はレベル２０からレベル１４に狭まった（減少した）ことが確認された。
【００６１】
その後、所定期間経過後の中間治療等前において、被検者Ａのそのときの患部領域が領域（３）であり、現在のニキビの範囲がレベル１４であり、患部状態がレベルＣであることが確認された。そして、これらの患部領域である領域（３）、ニキビの範囲であるレベル１４、患部状態であるレベルＣは被検者Ａの第２の患部情報として操作入力部４を介して入力される。その後、上記した被検者Ａの第２の患部情報に基づいて上記初回治療等時における近似度判定処理と同様の判定がなされ、近似度判定の結果、被験者Ａの中間治療等前における被検者Ａの第２の患部情報と同じ患部情報を有する既登録患者（以下、「特定既登録患者Ｙ１」と呼ぶ。）が一人だけ特定された。
【００６２】
次に、被験者Ａの第２の患部情報と同じ特定既登録患者Ｙ１の患部情報の後の治療等後における患部情報として患部領域の位置情報（領域（３））、患部領域の範囲情報（レベル１０）および患部情報（レベルＡ)が抽出された。この特定既登録患者Ｙ１のこの治療等に関連付けられている治療等パラメータ（後述する）が、特定既登録患者Ｙ１の治療等前後の患部情報とともに表示部１０に表示される。これによれば特定既登録患者Ｙ１は治療等後に患部領域の範囲がレベル１４からレベル１０に遷移し、患部状態がレベルＣからレベルＡに遷移しており、治療等効果ありとしてこの特定既登録患者Ｙ１の治療等パラメータを選択し治療等が施された。
【００６３】
上記した特定既登録患者Ｙ１の治療等パラメータにしたがって、微弱電流の周波数０．３Ｈｚ、微弱電流の電流値１５μＡ（マイクロアンペア）の微弱電流を６０秒間導子１４ａに供給し、続いて微弱電流の周波数２．５Ｈｚ、微弱電流の電流値１５μＡ（マイクロアンペア）の微弱電流を１５０秒間導子１４ａに供給し、続いて微弱電流の周波数８．０Ｈｚ、微弱電流の電流値１５μＡ（マイクロアンペア）の微弱電流を１５０秒間導子１４ａに供給し、続いて微弱電流の周波数１０Ｈｚ、微弱電流の電流値１５μＡ（マイクロアンペア）の微弱電流を１５０秒間導子１４ａに供給し、続いて微弱電流の周波数２０Ｈｚ、微弱電流の電流値１５μＡ（マイクロアンペア）の微弱電流を１５０秒間導子１４ａに供給し、続いて微弱電流の周波数４０Ｈｚ、微弱電流の電流値１５μＡ（マイクロアンペア）の微弱電流を１５０秒間導子１４ａに供給し、続いて微弱電流の周波数８０Ｈｚ、微弱電流の電流値１５μＡ（マイクロアンペア）の微弱電流を１５０秒間導子１４ａに供給し、続いて微弱電流の周波数１６０Ｈｚ、微弱電流の電流値１５μＡ（マイクロアンペア）の微弱電流を１５０秒間導子１４ａに供給した。その後、所定期間の間に計５回上記同様の第２の治療等パラメータで上記同一患者の患部に微弱電流を供給する治療等を施し、その後、所定期間をおいた経過観察において患部状態はＣレベルからＡレベルに軽減されたことが確認された。そして、ニキビの範囲はレベル１４からレベル１０に狭まった（減少した）ことが確認された。
【００６４】
その後、所定期間経過後の最終治療等前において、被検者Ａのそのときの患部領域は領域（３）であり、ニキビ跡の範囲はレベル１０であり、患部状態はレベルＡであることが確認された。そして操作入力部４を介して患部領域である領域（３）、ニキビの範囲であるレベル１０、患部状態であるレベルＡを第３の患部情報として操作入力部４を介して入力される。その後、上記した被検者Ａの第３の患部情報に基づいて上記初回治療等時における近似度判定処理と同様の判定がなされ、近似度判定の結果、被験者Ａの最終治療等前における第３の患部情報と同じ患部情報を有する既登録患者（以下、「特定既登録患者Ｚ１」と呼ぶ。）が一人だけ特定された。
【００６５】
次に、被験者Ａの第３の患部情報と同じ特定既登録患者Ｚ１の患部情報の後の治療等後における患部情報として、患部領域の位置情報（領域（３））、患部領域の範囲情報（レベル６）および患部状態(レベルＡ)が抽出された。そして、この特定既登録患者Ｚ１のこの治療等に関連付けられている治療等パラメータ（後述する）が、特定既登録患者Ｚ１の治療等前後の患部情報とともに表示部１０に表示される。これによれればこの特定既登録患者Ｚ１は治療等後に患部領域の範囲がレベル１０からレベル６に遷移し、患部状態がレベルＡを維持しており、治療等効果ありとして、この特定既登録患者Ｚ１の治療等パラメータを選択し治療等が施された。
【００６６】
上記した特定既登録患者Ｚ１の治療等パラメータにしたがって、微弱電流の周波数０．３Ｈｚ、微弱電流の電流値１５μＡ（マイクロアンペア）の微弱電流を６０秒間導子１４ａに供給し、続いて微弱電流の周波数５．０Ｈｚ、微弱電流の電流値１５μＡ（マイクロアンペア）の微弱電流を１５０秒間導子１４ａに供給し、続いて微弱電流の周波数８．０Ｈｚ、微弱電流の電流値１５μＡ（マイクロアンペア）の微弱電流を１５０秒間導子１４ａに供給し、続いて微弱電流の周波数１０Ｈｚ、微弱電流の電流値１５μＡ（マイクロアンペア）の微弱電流を１５０秒間導子１４ａに供給し、続いて微弱電流の周波数２０Ｈｚ、微弱電流の電流値１５μＡ（マイクロアンペア）の微弱電流を１５０秒間導子１４ａに供給し、続いて微弱電流の周波数４０Ｈｚ、微弱電流の電流値１５μＡ（マイクロアンペア）の微弱電流を１５０秒間導子１４ａに供給し、続いて微弱電流の周波数１６０Ｈｚ、微弱電流の電流値１５μＡ（マイクロアンペア）の微弱電流を１５０秒間導子１４ａに供給し、続いて微弱電流の周波数３２０Ｈｚ、微弱電流の電流値１５μＡ（マイクロアンペア）の微弱電流を１５０秒間導子１４ａに供給した。治療等後、所定期間をおいた経過観察において炎症の程度はＡレベルを維持し、ニキビ跡の範囲はレベル１０からレベル６に狭まった（減少した）ことが確認された。
【００６７】
＜実施例２_被験者Ｂ＞
実施例２は、被検者Ｂの患部が左の頬（患部の領域は図４の領域（３）に相当）であり、後述する４つの治療等パラメータにより治療等を行った。
【００６８】
初回治療等時において、これから治療等する予定の被検者Ｂの現在の患部領域の位置情報、現在の患部領域の範囲情報および現在の患部状態の情報が、被検者Ｂの第１の患部情報として操作入力部４を介して入力される。本実施例２では、操作入力部４を介して、そのときの被検者Ｂの患部領域の位置情報として図４に示す領域（３）が入力され、ニキビの範囲の情報としてレベル２０が入力され、患部状態の情報としてレベルＥが入力された。そして、判定処理部２３において上記した被検者Ｂの第１の患部情報と、治療等履歴情報データベース１２に登録されている過去の全ての既登録患者の患部情報を含む治療等履歴情報とが比較され、上記した被検者Ｂの第１の患部情報に最も近似する患部情報を有する既登録患者を特定する近似度判定処理が行われる。
【００６９】
近似度判定の結果、上記した被験者Ｂの第１の患部情報と同じ患部情報を有する既登録患者（以下、「特定既登録患者Ｘ２」と呼ぶ。）が一人だけ特定された。次に、被験者Ｂの第１の患部情報と同じ特定既登録患者Ｘ２の患部情報の後の治療等後における患部情報として、患部領域の位置情報（領域（３））、患部領域の範囲情報（レベル１４）および患部情報（レベルＤ)が抽出された。特定既登録患者Ｘ２のこの治療等に関連付けられている治療等パラメータ（後述する）が、特定既登録患者Ｘ２の治療等前後の患部情報とともに表示部１０に表示される。これによれば特定既登録患者Ｘ２は治療等後に患部領域の範囲がレベル２０からレベル１４に遷移し、患部状態がレベルＥからレベルＤに遷移しており、治療等効果ありとして、この特定既登録患者Ｘ２の治療等パラメータを選択し治療等が施された。
【００７０】
上記した特定既登録患者Ｘ２の治療等パラメータにしたがって、微弱電流の周波数を０．３Ｈｚ、微弱電流の電流値を１５μＡ（マイクロアンペア）、通電時間を６０秒間に設定し、通電を開始し、続いて微弱電流の周波数２．０Ｈｚ、微弱電流の電流値１５μＡ（マイクロアンペア）の微弱電流を１５０秒間導子１４ａに供給し、微弱電流の周波数２．５Ｈｚ、微弱電流の電流値１５μＡ（マイクロアンペア）の微弱電流を１５０秒間導子１４ａに供給し、続いて微弱電流の周波数５．０Ｈｚ、微弱電流の電流値１５μＡ（マイクロアンペア）の微弱電流を１５０秒間導子１４ａに供給し、続いて微弱電流の周波数８．０Ｈｚ、微弱電流の電流値１５μＡ（マイクロアンペア）の微弱電流を１５０秒間導子１４ａに供給し、続いて微弱電流の周波数２０Ｈｚ、微弱電流の電流値１５μＡ（マイクロアンペア）の微弱電流を１５０秒間導子１４ａに供給し、続いて微弱電流の周波数８０Ｈｚ、微弱電流の電流値１５μＡ（マイクロアンペア）の微弱電流を１５０秒間導子１４ａに供給し、続いて微弱電流の周波数１６０Ｈｚ、微弱電流の電流値１５μＡ（マイクロアンペア）の微弱電流を１５０秒間導子１４ａに供給し、続いて微弱電流の周波数３２０Ｈｚ、微弱電流の電流値１５μＡ（マイクロアンペア）の微弱電流を１５０秒間導子１４ａに供給した。その後、計３回上記同様の治療等パラメータで上記同一患者の患部に微弱電流を供給する治療等を施した後、所定期間をおいた経過観察において患部の程度はＥレベルからＤレベルに軽減されたことが確認された。そして、左頬のニキビの範囲はレベル２０からレベル１４に狭まった（減少した）ことが確認された。
【００７１】
その後、所定期間経過後の第１の中間治療等前において、被検者Ｂのそのときの患部領域が領域（３）であり、ニキビの範囲がレベル１４であり、患部状態がレベルＤであることが確認された。そして、これらの患部領域である領域（３）、ニキビの範囲であるレベル１４、患部状態であるレベルＤが被検者Ｂの第２の患部情報として操作入力部４を介して入力される。その後、上記した被検者Ｂの第２の患部情報に基づいて上記初回治療等時における近似度判定処理と同様の判定がなされ、近似度判定の結果、被験者Ｂの中間治療等前における被検者Ｂの第２の患部情報と同じ患部情報を有する既登録患者（以下、「特定既登録患者Ｙ２」と呼ぶ。）が一人だけ特定された。
【００７２】
次に、被験者Ｂの第２の患部情報と同じ特定既登録患者Ｙ２の患部情報の後の治療等後における患部情報として患部領域の位置情報（領域（３））、患部領域の範囲情報（レベル１０）および患部状態(レベルＣ)が抽出された。この特定既登録患者Ｙ２のこの治療等に関連付けられている治療等パラメータ（後述する）が、特定既登録患者Ｙ２の治療等前後の患部情報とともに表示部１０に表示される。これによれば特定既登録患者Ｙ２は治療等後に患部領域の範囲がレベル１４からレベル１０に遷移し、患部状態がレベルＤからレベルＣに遷移しており、治療等効果ありとしてこの特定既登録患者Ｙ２の治療等パラメータを選択し治療等が施された。
【００７３】
上記した第２の治療等パラメータにしたがって、微弱電流の周波数０．３Ｈｚ、微弱電流の電流値１５μＡ（マイクロアンペア）の微弱電流を６０秒間導子１４ａに供給し、続いて微弱電流の周波数２．０Ｈｚ、微弱電流の電流値１５μＡ（マイクロアンペア）の微弱電流を１５０秒間導子１４ａに供給し、続いて微弱電流の周波数２．５Ｈｚ、微弱電流の電流値１５μＡ（マイクロアンペア）の微弱電流を１５０秒間導子１４ａに供給し、続いて微弱電流の周波数８．０Ｈｚ、微弱電流の電流値１５μＡ（マイクロアンペア）の微弱電流を１５０秒間導子１４ａに供給し、続いて微弱電流の周波数２０Ｈｚ、微弱電流の電流値１５μＡ（マイクロアンペア）の微弱電流を１５０秒間導子１４ａに供給し、続いて微弱電流の周波数８０Ｈｚ、微弱電流の電流値１５μＡ（マイクロアンペア）の微弱電流を１５０秒間導子１４ａに供給し、続いて微弱電流の周波数１６０Ｈｚ、微弱電流の電流値１５μＡ（マイクロアンペア）の微弱電流を１５０秒間導子１４ａに供給した。その後上記第２の治療等パラメータと同様の治療等パラメータで計４回治療等を施した後、所定期間をおいた経過観察において患部状態はＤレベルからＣレベルに軽減されたことが確認された。そして、左頬のニキビの範囲はレベル１４からレベル１０に狭まった（減少した）ことが確認された。
【００７４】
その後、所定期間経過後の第２の中間治療等前において、被検者Ｂのそのときの患部領域が領域（３）であり、ニキビの範囲がレベル１０であり、患部状態がレベルＣであることが確認された。そして患部領域である領域（３）、ニキビの範囲であるレベル１０、患部状態であるレベルＣが第３の患部情報として操作入力部４を介して入力される。その後、上記した被験者Ｂの第３の患部情報に基づいて上記初回治療等時における近似度判定処理と同様の判定がなされ、近似度判定の結果、被験者Ｂの第２の中間治療等前における被験者Ｂの第３の患部情報と同じ患部情報を有する既登録患者（以下、「特定既登録患者Ｚ２」と呼ぶ。）が一人だけ特定された。
【００７５】
次に、被験者Ｂの第３の患部情報と同じ特定既登録患者Ｚ２の患部情報の後の治療等後における患部情報として患部領域の位置情報（領域（３））、患部領域の範囲情報（レベル６）および患部状態(レベルＢ)が抽出された。この特定既登録患者Ｚ２のこの治療等に関連付けられている治療等パラメータ（後述する）が、特定既登録患者Ｚ２の治療等前後の患部情報とともに表示部１０に表示される。これによれば特定既登録患者Ｚ２は治療等後に患部領域の範囲がレベル１０からレベル６に遷移し、患部状態がレベルＣからレベルＢに遷移しており、治療等効果ありとしてこの特定既登録患者Ｚ２の後述する第３の治療等パラメータを選択し治療等が施された。
【００７６】
上記した特定既登録患者Ｚ２の治療等パラメータにしたがって、微弱電流の周波数０．３Ｈｚ、微弱電流の電流値１５μＡ（マイクロアンペア）の微弱電流を６０秒間導子１４ａに供給し、続いて微弱電流の周波数２．０Ｈｚ、微弱電流の電流値１５μＡ（マイクロアンペア）の微弱電流を１５０秒間導子１４ａに供給し、続いて微弱電流の周波数２．５Ｈｚ、微弱電流の電流値１５μＡ（マイクロアンペア）の微弱電流を１５０秒間導子１４ａに供給し、続いて微弱電流の周波数８．０Ｈｚ、微弱電流の電流値１５μＡ（マイクロアンペア）の微弱電流を１５０秒間導子１４ａに供給し、続いて微弱電流の周波数２０Ｈｚ、微弱電流の電流値１５μＡ（マイクロアンペア）の微弱電流を１５０秒間導子１４ａに供給し、続いて微弱電流の周波数８０Ｈｚ、微弱電流の電流値１５μＡ（マイクロアンペア）の微弱電流を１５０秒間導子１４ａに供給し、続いて微弱電流の周波数１６０Ｈｚ、微弱電流の電流値１５μＡ（マイクロアンペア）の微弱電流を１５０秒間導子１４ａに供給した。その後，所定期間の間に計４回上記第３の治療等パラメータと同様の治療等パラメータで上記同一患者の患部に微弱電流を供給する治療等を施し、その後、所定期間をおいた経過観察において患部状態はＣレベルからＢレベルに軽減されたことが確認された。そして、ニキビの範囲はレベル１０からレベル６に狭まったことが確認された。
【００７７】
その後、所定期間経過後の最終治療等前において、被検者Ｂのそのときの患部領域が領域（３）であり、現在のニキビの範囲がレベル６であり、患部状態がレベルＢであることが確認された。そして患部領域である領域（３）、ニキビの範囲であるレベル６、患部状態であるレベルＢを第４の患部情報として操作入力部４を介して入力される。その後、上記した被験者Ｂの第４の患部情報に基づいて上記初回治療等時における近似度判定処理と同様の判定がなされ、近似度判定の結果、被験者Ｂの最終治療等前における第４の患部情報と同じ患部情報を有する既登録患者（以下、「特定既登録患者Ｗ２」と呼ぶ。）が一人だけ特定された。
【００７８】
次に、被験者Ｂの第４の患部情報と同じ特定既登録患者Ｗ２の患部情報の後の治療等後における患部情報としての患部領域の位置情報（領域（３））、患部領域の範囲情報（レベル１）および患部状態(レベルＡ)が抽出された。そして、この特定既登録患者Ｗ２のこの治療等に関連付けられている治療等パラメータ（後述する）が、特定既登録患者Ｗ２の治療等前後の患部情報とともに表示部１０に表示される。これによれば特定既登録患者Ｗ２は治療等後に患部領域の範囲がレベル６からレベル１に遷移し、患部状態がレベルＢからレベルＡに遷移しており、治療等効果ありとして、この特定既登録患者Ｗ２の治療等パラメータを選択し治療等が施された。
【００７９】
上記した特定既登録患者Ｗ２の治療等パラメータにしたがって、微弱電流の周波数０．３Ｈｚ、微弱電流の電流値１５μＡ（マイクロアンペア）の微弱電流を６０秒間導子１４ａに供給し、続いて微弱電流の周波数２．５Ｈｚ、微弱電流の電流値１５μＡ（マイクロアンペア）の微弱電流を１５０秒間導子１４ａに供給し、続いて微弱電流の周波数８．０Ｈｚ、微弱電流の電流値１５μＡ（マイクロアンペア）の微弱電流を１５０秒間導子１４ａに供給し、続いて微弱電流の周波数２０．０Ｈｚ、微弱電流の電流値１５μＡ（マイクロアンペア）の微弱電流を１５０秒間導子１４ａに供給し、続いて微弱電流の周波数４０．０Ｈｚ、微弱電流の電流値１５μＡ（マイクロアンペア）の微弱電流を１５０秒間導子１４ａに供給し、続いて微弱電流の周波数８０Ｈｚ、微弱電流の電流値１５μＡ（マイクロアンペア）の微弱電流を１５０秒間導子１４ａに供給し、続いて微弱電流の周波数１６０Ｈｚ、微弱電流の電流値１５μＡ（マイクロアンペア）の微弱電流を１５０秒間導子１４ａに供給し、続いて微弱電流の周波数３２０Ｈｚ、微弱電流の電流値１５μＡ（マイクロアンペア）の微弱電流を１５０秒間導子１４ａに供給した。この治療等後所定期間をおいた経過観察において患部状態はＢレベルからＡレベルに軽減されたことが確認された。そして、左頬のニキビの範囲はレベル６からレベル１に狭まった（減少した）ことが確認された。
【００８０】
本発明の実施の形態は、上述した実施の形態に限定されるものではなく、本発明の要旨を逸脱しない範囲において種々の変更が可能である。例えば、患部の領域が左右の頬にある場合に２つの電流供給用の導子を用いて左頬には一方の導子を、右頬には他方の導子を付けて上記した手順で治療等を行ってもよい。
また、本発明の実施の形態は、上述したニキビ以外の治療等の対象に対しても、発明の要旨を逸脱しない範囲において実施の形態を種々の変更することにより使用できる。
【符号の説明】
【００８１】
１…治療等システム、２…治療等モード設定部、３…微弱電流発生部、４…操作入力部、５…入力制御部、６…データ入力部、７…データ出力部、８…出力制御部、９…表示制御部、１０…表示部、１２…治療等履歴情報データベース、１４ａ，１４ｂ…導子、２１…情報取得部、２２…演算処理部、２３…判定処理部、２５…治療等履歴情報登録部、２６…治療等パラメータ決定処理部、２７…駆動制御部、３１…患部情報取得部、３２…周波数情報取得部、３３…電流値情報取得部、３４…治療等時間情報取得部、３５…導子取付位置情報取得部、３６…治療等結果患部情報取得部、４１…周波数可変部、４２…通電時間設定部、４３…電流値可変部、５１、５２及び６１ａ〜６１ｅ…アルミ箔
【要約】      （修正有）【課題】適切な治療等を行える体全体の機能改善を施すための微弱電流による治療・施術システムを提供する。【解決手段】微弱電流による治療・施術システムは、微弱電流の周波数可変部、通電時間設定部及び電流値可変部と、治療・施術前後の治療・施術患部情報及び患者への治療・施術の際に設定される微弱電流の周波数等の治療・施術パラメータ情報を入力する入力部とを有する。また、治療・施術前後の患部情報及び治療・施術パラメータ情報を治療・施術患者毎に時系列的に紐付けて登録する治療・施術履歴情報登録部を有する。また、過去の他の患者全ての治療・施術履歴情報から、その後の治療・施術により所定の良い治療・施術効果が認められた同じ又は同程度の患部情報を抽出し、その治療・施術パラメータ情報を抽出・出力する治療・施術パラメータ決定処理部と、その治療・施術パラメータ情報を表示する表示部とを有することを特徴とする。【選択図】図１【図１】
0006895603.tif 000002
【図２】
0006895603.tif 000003
【図３】
0006895603.tif 000004
【図４】
0006895603.tif 000005
【図５】
0006895603.tif 000006
【図６】
0006895603.tif 000007